(57)【要約】【課題】プロジェクタの選択を容易にするプロジェクタの選択システム、プロジェクタの選択方法及びそのプログラムを提供する。【解決手段】１台以上のプロジェクタ２とコンピュータ１とをネットワーク９を介して接続し、コンピュータ１からプロジェクタ２を選択するプロジェクタの選択システムである。識別子割当手段１０５と、識別子表示手段２０５とによって、プロジェクタ２に識別子を表示させ、さらに、プレビューイメージ要求手段１０９と、プレビューイメージ生成手段２０７と、プレビューイメージ送信手段２０９とによって、プロジェクタ２がスクリーンに表示したイメージの縮小イメージであるプレビューイメージを取得し、コンピュータ１の画面上のダイアログ表示部１５に表示する。【選択図】図１
2005210284.tif 000002
【特許請求の範囲】
【請求項１】
１台以上のプロジェクタとコンピュータとをネットワークを介して接続し、前記コンピュータから前記プロジェクタを選択するプロジェクタの選択システムであって、
前記コンピュータは、検索クライアントとダイアログ表示部とを有し、
前記プロジェクタは、検索応答サーバとプロジェクタ情報部とを有し、
前記検索クライアントは、
前記ネットワークに前記プロジェクタを検索する検索コマンドを送信し、前記プロジェクタからの前記検索コマンドに対する応答として、前記プロジェクタ情報部からのプロジェクタ名とＩＰアドレスとステータスとを含むプロジェクタ情報を取得する、プロジェクタ検索手段と、
応答のあった前記プロジェクタに対して固有の識別子を生成し、それぞれの前記プロジェクタに前記ネットワークを介して前記識別子を割り当てる識別子割当を送信し、前記プロジェクタが既に表示を行っている場合は前記識別子割当を送信しない、識別子割当手段と、
前記プロジェクタがスクリーンに表示したイメージの縮小イメージであるプレビューイメージを要求するイメージ要求コマンドを前記ネットワークに送信し、前記プロジェクタからの前記イメージ要求コマンドに対する応答として、前記プレビューイメージを取得する、プレビューイメージ要求手段とを有し、
前記ダイアログ表示部は、前記プロジェクタ情報と前記プレビューイメージを表示する手段を有し、
前記プロジェクタ情報部は、前記プロジェクタ情報を保存する手段を有し、
前記検索応答サーバは、
前記ネットワークから前記検索コマンドを受信し、前記プロジェクタ情報部からの前記プロジェクタ情報を返信する、検索応答手段と、
前記プロジェクタが既に表示を行っているかどうかのステータスを調べる、表示有無調査手段と、
前記ネットワークから受信した前記識別子をスクリーンに表示する、識別子表示手段と、
前記表示された識別子又は既存の表示をもとに前記プレビューメージを生成する、プレビューイメージ生成手段と、
前記ネットワークから前記イメージ要求コマンドを受信し、前記プレビューイメージ生成手段によって生成された前記プレビューイメージを返信する、プレビューイメージ送信手段とを有する、プロジェクタの選択システム。
【請求項２】
１台以上のプロジェクタとコンピュータとをネットワークを介して接続し、前記コンピュータから前記プロジェクタを選択するプロジェクタの選択システムであって、
前記コンピュータは、検索クライアントとダイアログ表示部とを有し、
前記プロジェクタは、検索応答サーバとプロジェクタ情報部とを有し、
前記検索クライアントは、
前記ネットワークに前記プロジェクタを検索する検索コマンドを送信し、前記プロジェクタからの前記検索コマンドに対する応答として、前記プロジェクタ情報部からのプロジェクタ名とＩＰアドレスとステータスとを含むプロジェクタ情報を取得する、プロジェクタ検索手段と、
前記プロジェクタがスクリーンに表示したイメージの縮小イメージであるプレビューイメージを要求するイメージ要求コマンドを前記ネットワークに送信し、前記プロジェクタからの前記イメージ要求コマンドに対する応答として、前記プレビューイメージを取得する、プレビューイメージ要求手段とを有し、
前記ダイアログ表示部は、前記プロジェクタ情報と前記プレビューイメージを表示する手段を有し、
前記プロジェクタ情報部は、プロジェクタ情報を保存する手段を有し、
前記検索応答サーバは、
前記ネットワークから前記検索コマンドを受信し、前記プロジェクタ情報部からの前記プロジェクタ情報を返信する、検索応答手段と、
前記プロジェクタが既に表示を行っているかどうかのステータスを調べる、表示有無調査手段と、
前記ネットワークから前記検索コマンドを受信すると、前記プロジェクタに設定されている前記ＩＰアドレスを前記スクリーンに表示し、既に表示を行っている前記プロジェクタへは、前記ＩＰアドレスを前記スクリーンに表示しない、ＩＰアドレス表示手段と、
前記表示されたＩＰアドレス又は既存の表示をもとに前記プレビューメージを生成する、プレビューイメージ生成手段と、
前記ネットワークから前記イメージ要求コマンドを受信し、前記プレビューイメージ生成手段によって生成された前記プレビューイメージを返信する、プレビューイメージ送信手段とを有する、プロジェクタの選択システム。
【請求項３】
前記コンピュータ及び前記プロジェクタの前記検索応答サーバを請求項１又は請求項２に記載のプロジェクタの選択システムとして機能させるためのプログラム。
【請求項４】
１台以上のプロジェクタとコンピュータとをネットワークを介して接続し、前記コンピュータから前記プロジェクタを選択するプロジェクタの選択方法であって、
前記コンピュータは、検索クライアントとダイアログ表示部とを有し、
前記プロジェクタは、検索応答サーバとプロジェクタ情報部とを有し、
前記検索クライアントは、プロジェクタ検索手段を用いて、前記ネットワークに前記プロジェクタを検索する検索コマンドを送信し、その応答を待つステップと、
前記検索応答サーバは、前記検索コマンドを受信すると、前記プロジェクタ情報部からプロジェクタ名とＩＰアドレスとを読み出す一方で、表示有無調査手段から表示の有無であるステータスを取得し、検索応答手段を用いて、それらをプロジェクタ情報として返信するステップと、
前記検索クライアントは、受信した前記プロジェクタ情報を前記ダイアログ表示部に渡し、画面上に表示させるステップと、
前記検索クライアントは、応答のあった前記プロジェクタに対して固有の識別子を生成し、各々の前記プロジェクタへ前記識別子を割り当てる識別子割当を送信し、既に表示のある前記プロジェクタへは、前記識別子割当を送信しないステップと、
前記検索応答サーバは、前記識別子割当を受信すると、識別子表示手段を用いて、前記識別子をスクリーンに表示し、割当完了を返信するステップと、
前記検索応答サーバは、前記表示された識別子、又は既存の表示をもとに、プレビューイメージ生成手段を用いて、前記プロジェクタがスクリーンに表示したイメージの縮小イメージであるプレビューイメージを生成するステップと、
ダイアログ表示部において、所望のプロジェクタが選択されると、前記検索クライアントは、プレビューイメージ要求手段を用いて、前記プレビューイメージを要求するイメージ要求コマンドを送信するステップと、
前記検索応答サーバは、前記イメージ要求コマンドを受信すると、生成された前記プレビューイメージを、プレビューイメージ送信手段を用いて、イメージデータとして返信するステップと、
前記検索クライアントは、受信した前記イメージデータを前記ダイアログ表示部に渡し、画面上に表示させるステップとを有する、プロジェクタの選択方法。
【請求項５】
１台以上のプロジェクタとコンピュータとをネットワークを介して接続し、前記コンピュータから前記プロジェクタを選択するプロジェクタの選択方法であって、
前記コンピュータは、検索クライアントとダイアログ表示部とを有し、
前記プロジェクタは、検索応答サーバとプロジェクタ情報部とを有し、
前記検索クライアントは、プロジェクタ検索手段を用いて、前記ネットワークに前記プロジェクタを検索する検索コマンドを送信し、その応答を待つステップと、
前記検索応答サーバは、前記検索コマンドを受信すると、前記プロジェクタ情報部からプロジェクタ名とＩＰアドレスとを読み出す一方で、表示有無調査手段から表示の有無であるステータスを取得し、検索応答手段を用いて、それらをプロジェクタ情報として返信するステップと、
前記検索クライアントは、受信した前記プロジェクタ情報を前記ダイアログ表示部に渡し、画面上に表示させるステップと、
前記検索応答サーバは、前記検索コマンドを受信すると、ＩＰアドレス表示手段を用いて、前記プロジェクタに設定されている前記ＩＰアドレスをスクリーンに表示し、既に表示のある前記プロジェクタへは、前記ＩＰアドレスを前記スクリーンに表示しないステップと、
前記検索応答サーバは、表示された前記ＩＰアドレス、又は既存の表示をもとに、プレビューイメージ生成手段を用いて、前記プロジェクタが前記スクリーンに表示したイメージの縮小イメージであるプレビューイメージを生成するステップと、
ダイアログ表示部において、所望のプロジェクタが選択されると、前記検索クライアントは、プレビューイメージ要求手段を用いて、前記プレビューイメージを要求するイメージ要求コマンドを送信するステップと、
前記検索応答サーバは、前記イメージ要求コマンドを受信すると、生成された前記プレビューイメージを、プレビューイメージ送信手段を用いて、イメージデータとして返信するステップと、
前記検索クライアントは、受信した前記イメージデータを前記ダイアログ表示部に渡し、画面上に表示させるステップとを有する、プロジェクタの選択方法。
【請求項６】
前記コンピュータ及び前記プロジェクタの前記検索応答サーバに請求項４又は請求項５に記載のプロジェクタの選択方法を実行させるためのプログラム。
【発明の詳細な説明】
【技術分野】
【０００１】
本発明は、プロジェクタの選択システム、プロジェクタの選択方法及びそのプログラムに関する。
【背景技術】
【０００２】
ネットワークを介してコンピュータとプロジェクタとを接続する場合、対象のプロジェクタのＩＰアドレスなどを入力する煩わしさを避ける目的で、検索システムが用いられる。例えば、複数台のプロジェクタが接続されたマルチプロジェクタなどを個別に制御するための通信制御装置がある（特許文献１参照。）。
【０００３】
この検索システムの構成は、図７のように、プロジェクタを検索する手段１０２を有する検索クライアント１２と、検索に応答する手段２０２を有する検索応答サーバ２２とを含む。これによってプロジェクタの情報を取得し、図８のように、コンピュータの画面上にプロジェクタリスト１５２として表示する。
【特許文献１】特開平０８−１７２６７６号公報
【発明の開示】
【発明が解決しようとする課題】
【０００４】
従来は、ネットワーク上に使用可能なプロジェクタが複数存在する場合に、検索されたプロジェクタのリストから、使用するプロジェクタを選択する際に、上述のようなプロジェクタのリストだけでは、どのアイテムがどのプロジェクタに対応するのか分かりにくかった。
【０００５】
また、コンピュータ画面上のアイテムと、実際のプロジェクタとを関連付けるには、予めプロジェクタを操作して、その名前やＩＰアドレスなどを知っておく必要があり、結局は使い勝手が良くなかった。
【０００６】
そのような理由から、ユーザにとって容易に、検索されたプロジェクタを特定できる方法が望まれていた。
【０００７】
本発明の目的は、プロジェクタの選択を容易にするプロジェクタの選択システム、プロジェクタの選択方法及びそのプログラムを提供することにある。
【課題を解決するための手段】
【０００８】
本発明のプロジェクタの選択システムは、
１台以上のプロジェクタとコンピュータとをネットワークを介して接続し、コンピュータからプロジェクタを選択するプロジェクタの選択システムであって、コンピュータは、検索クライアントとダイアログ表示部とを有し、プロジェクタは、検索応答サーバとプロジェクタ情報部とを有し、検索クライアントは、ネットワークにプロジェクタを検索する検索コマンドを送信し、プロジェクタからの検索コマンドに対する応答として、プロジェクタ情報部からのプロジェクタ名とＩＰアドレスとステータスとを含むプロジェクタ情報を取得する、プロジェクタ検索手段と、応答のあったプロジェクタに対して固有の識別子を生成し、それぞれのプロジェクタにネットワークを介して識別子を割り当てる識別子割当を送信し、プロジェクタが既に表示を行っている場合は識別子割当を送信しない、識別子割当手段と、プロジェクタがスクリーンに表示したイメージの縮小イメージであるプレビューイメージを要求するイメージ要求コマンドをネットワークに送信し、プロジェクタからのイメージ要求コマンドに対する応答として、プレビューイメージを取得する、プレビューイメージ要求手段とを有し、ダイアログ表示部は、プロジェクタ情報とプレビューイメージを表示する手段を有し、プロジェクタ情報部は、プロジェクタ情報を保存する手段を有し、検索応答サーバは、ネットワークから検索コマンドを受信し、プロジェクタ情報部からのプロジェクタ情報を返信する、検索応答手段と、プロジェクタが既に表示を行っているかどうかのステータスを調べる、表示有無調査手段と、ネットワークから受信した識別子をスクリーンに表示する、識別子表示手段と、表示された識別子又は既存の表示をもとにプレビューメージを生成する、プレビューイメージ生成手段と、ネットワークからイメージ要求コマンドを受信し、プレビューイメージ生成手段によって生成されたプレビューイメージを返信する、プレビューイメージ送信手段とを有する。
【０００９】
本発明のプロジェクタの選択システムは、
１台以上のプロジェクタとコンピュータとをネットワークを介して接続し、コンピュータからプロジェクタを選択するプロジェクタの選択システムであって、コンピュータは、検索クライアントとダイアログ表示部とを有し、プロジェクタは、検索応答サーバとプロジェクタ情報部とを有し、検索クライアントは、ネットワークにプロジェクタを検索する検索コマンドを送信し、プロジェクタからの検索コマンドに対する応答として、プロジェクタ情報部からのプロジェクタ名とＩＰアドレスとステータスとを含むプロジェクタ情報を取得する、プロジェクタ検索手段と、プロジェクタがスクリーンに表示したイメージの縮小イメージであるプレビューイメージを要求するイメージ要求コマンドをネットワークに送信し、プロジェクタからのイメージ要求コマンドに対する応答として、プレビューイメージを取得する、プレビューイメージ要求手段とを有し、ダイアログ表示部は、プロジェクタ情報とプレビューイメージを表示する手段を有し、プロジェクタ情報部は、プロジェクタ情報を保存する手段を有し、検索応答サーバは、ネットワークから検索コマンドを受信し、プロジェクタ情報部からのプロジェクタ情報を返信する、検索応答手段と、プロジェクタが既に表示を行っているかどうかのステータスを調べる、表示有無調査手段と、ネットワークから検索コマンドを受信すると、プロジェクタに設定されているＩＰアドレスをスクリーンに表示し、既に表示を行っているプロジェクタへは、ＩＰアドレスをスクリーンに表示しない、ＩＰアドレス表示手段と、表示されたＩＰアドレス又は既存の表示をもとにプレビューメージを生成する、プレビューイメージ生成手段と、ネットワークからイメージ要求コマンドを受信し、プレビューイメージ生成手段によって生成されたプレビューイメージを返信する、プレビューイメージ送信手段とを有する。
【００１０】
本発明のプログラムは、
コンピュータ及びプロジェクタの検索応答サーバを上述のプロジェクタの選択システムとして機能させる。
【００１１】
本発明のプロジェクタの選択方法は、
１台以上のプロジェクタとコンピュータとをネットワークを介して接続し、コンピュータからプロジェクタを選択するプロジェクタの選択方法であって、コンピュータは、検索クライアントとダイアログ表示部とを有し、プロジェクタは、検索応答サーバとプロジェクタ情報部とを有し、検索クライアントは、プロジェクタ検索手段を用いて、ネットワークにプロジェクタを検索する検索コマンドを送信し、その応答を待つステップと、検索応答サーバは、検索コマンドを受信すると、プロジェクタ情報部からプロジェクタ名とＩＰアドレスとを読み出す一方で、表示有無調査手段から表示の有無であるステータスを取得し、検索応答手段を用いて、それらをプロジェクタ情報として返信するステップと、検索クライアントは、受信したプロジェクタ情報をダイアログ表示部に渡し、画面上に表示させるステップと、検索クライアントは、応答のあったプロジェクタに対して固有の識別子を生成し、各々のプロジェクタへ識別子を割り当てる識別子割当を送信し、既に表示のあるプロジェクタへは、識別子割当を送信しないステップと、検索応答サーバは、識別子割当を受信すると、識別子表示手段を用いて、識別子をスクリーンに表示し、割当完了を返信するステップと、検索応答サーバは、表示された識別子、又は既存の表示をもとに、プレビューイメージ生成手段を用いて、プロジェクタがスクリーンに表示したイメージの縮小イメージであるプレビューイメージを生成するステップと、ダイアログ表示部において、所望のプロジェクタが選択されると、検索クライアントは、プレビューイメージ要求手段を用いて、プレビューイメージを要求するイメージ要求コマンドを送信するステップと、検索応答サーバは、イメージ要求コマンドを受信すると、生成されたプレビューイメージを、プレビューイメージ送信手段を用いて、イメージデータとして返信するステップと、検索クライアントは、受信したイメージデータをダイアログ表示部に渡し、画面上に表示させるステップとを有する。
【００１２】
本発明のプロジェクタの選択方法は、
１台以上のプロジェクタとコンピュータとをネットワークを介して接続し、コンピュータからプロジェクタを選択するプロジェクタの選択方法であって、コンピュータは、検索クライアントとダイアログ表示部とを有し、プロジェクタは、検索応答サーバとプロジェクタ情報部とを有し、検索クライアントは、プロジェクタ検索手段を用いて、ネットワークにプロジェクタを検索する検索コマンドを送信し、その応答を待つステップと、検索応答サーバは、検索コマンドを受信すると、プロジェクタ情報部からプロジェクタ名とＩＰアドレスとを読み出す一方で、表示有無調査手段から表示の有無であるステータスを取得し、検索応答手段を用いて、それらをプロジェクタ情報として返信するステップと、検索クライアントは、受信したプロジェクタ情報をダイアログ表示部に渡し、画面上に表示させるステップと、検索応答サーバは、検索コマンドを受信すると、ＩＰアドレス表示手段を用いて、プロジェクタに設定されているＩＰアドレスをスクリーンに表示し、既に表示のあるプロジェクタへは、ＩＰアドレスをスクリーンに表示しないステップと、検索応答サーバは、表示されたＩＰアドレス、又は既存の表示をもとに、プレビューイメージ生成手段を用いて、プロジェクタがスクリーンに表示したイメージの縮小イメージであるプレビューイメージを生成するステップと、ダイアログ表示部において、所望のプロジェクタが選択されると、検索クライアントは、プレビューイメージ要求手段を用いて、プレビューイメージを要求するイメージ要求コマンドを送信するステップと、検索応答サーバは、イメージ要求コマンドを受信すると、生成されたプレビューイメージを、プレビューイメージ送信手段を用いて、イメージデータとして返信するステップと、検索クライアントは、受信したイメージデータをダイアログ表示部に渡し、画面上に表示させるステップとを有する。
【００１３】
本発明のプログラムは、
コンピュータ及びプロジェクタの検索応答サーバに上述のプロジェクタの選択方法を実行させる。
【発明の効果】
【００１４】
本発明の効果について説明する。
【００１５】
本発明においては、コンピュータ画面上に表示されるプロジェクタリストのアイテムと、実際のプロジェクタとをプレビューイメージで関連付けてユーザに提示するように構成されているため、容易にプロジェクタを選択できるという効果を有する。
【００１６】
さらに、既にプロジェクタに表示がある場合には識別子又はＩＰアドレスを表示しないため、他の人がプロジェクタを使用しているのを妨げないという効果を有する。
【００１７】
加えて、プロジェクタに固有のＩＰアドレスを用いる場合には、構成から識別子を割り当てる手段を省くことができるという効果を有する。
【発明を実施するための最良の形態】
【００１８】
（発明の第１の実施の形態）
本発明の第１の実施の形態の構成について図面を参照して詳細に説明する。
【００１９】
図１を参照すると、本発明の第１の実施の形態は、１台以上のプロジェクタ２とコンピュータ１とをネットワーク９を介して接続し、コンピュータ１からプロジェクタ２を選択するプロジェクタの選択システムである。
【００２０】
コンピュータ１は、プロジェクタ検索手段１０１と、識別子割当手段１０５と、プレビューイメージ要求手段１０９とを有する検索クライアント１０、およびダイアログ表示部１５とを含む。
【００２１】
また、プロジェクタ２は、検索応答手段２０１と、表示有無調査手段２０３と、識別子表示手段２０５と、プレビューイメージ生成手段２０７と、プレビューイメージ送信手段２０９とを有する検索応答サーバ２０、およびプロジェクタ情報部２５とを含む。
【００２２】
これらの手段はそれぞれ概略つぎのように動作する。
【００２３】
まず、コンピュータ１では、プロジェクタ検索手段１０１は、ネットワーク９にプロジェクタを検索する検索コマンドを送信し、プロジェクタ２からの検索コマンドに対する応答として、プロジェクタ情報部２５からのプロジェクタ名やＩＰアドレスやステータスなどのプロジェクタ情報を取得する。
【００２４】
識別子割当手段１０５は、応答のあったプロジェクタ２に対して固有の識別子を生成し、それぞれのプロジェクタ２にネットワーク９を介して識別子を割り当てる識別子割当を送信し、プロジェクタ２が既に表示を行っている場合は識別子割当を送信しない。
【００２５】
プレビューイメージ要求手段１０９は、プロジェクタ２がスクリーンに表示したイメージの縮小イメージであるプレビューイメージを要求するイメージ要求コマンドをネットワーク９に送信し、プロジェクタ２からのイメージ要求コマンドに対する応答として、プレビューイメージを取得する。
【００２６】
ダイアログ表示部１５は、プロジェクタ情報やプレビューイメージを、ユーザインターフェースとして、視覚的にユーザに提示する。
【００２７】
次に、プロジェクタ２では、検索応答手段２０１は、ネットワーク９から検索コマンドを受信し、プロジェクタ名やＩＰアドレスやステータスなどのプロジェクタ情報を返信する。
【００２８】
表示有無調査手段２０３は、プロジェクタ２が既に何かしらの表示を行っているかどうかのステータスを調べる。
【００２９】
識別子表示手段２０５は、ネットワーク９から受信した識別子をスクリーンに表示する。
【００３０】
プレビューイメージ生成手段２０７は、表示された識別子又は既存の表示をもとにプロジェクタ２がスクリーンに表示したイメージの縮小イメージであるプレビューイメージを生成する。
【００３１】
プレビューイメージ送信手段２０９は、ネットワーク９からイメージ要求コマンドを受信し、プレビューイメージ生成手段２０７によって生成されたプレビューイメージを返信する。
【００３２】
プロジェクタ情報部２５は、プロジェクタ名やＩＰアドレスやステータスなどのプロジェクタ情報を記憶装置またはメモリに保存する。
【００３３】
また、上述の本発明の実施の形態についてのプロジェクタの選択システムのプログラムにより、コンピュータ及びプロジェクタの検索応答サーバをそのプロジェクタの選択システムとして機能させることができる。
【００３４】
次に、図１と、図２のシーケンスチャートを参照して、本発明の第１の実施の形態の動作について詳細に説明する。
【００３５】
プログラムによって検索が開始されると、検索クライアント１０は、プロジェクタ検索手段１０１を用いて、ネットワーク９にプロジェクタ２を検索する検索コマンドＴ−１を送信し、その応答を待つ。
【００３６】
検索応答サーバ２０は、検索コマンドＴ−１を受信すると、プロジェクタ情報部２５からプロジェクタ名とＩＰアドレスなどを読み出す一方で、表示有無調査手段２０３からプロジェクタ２の表示の有無であるステータスを取得し、検索応答手段２０１を用いて、それらをプロジェクタ情報Ｒ−１として返信する。
【００３７】
検索クライアント１０は、受信したプロジェクタ情報をダイアログ表示部１５に渡し、画面上に表示させる（具体例は図４のプロジェクタリスト１５１を参照）。
【００３８】
次に、検索クライアント１０は、応答のあったプロジェクタ２に対して固有の識別子（英数記号を用いた文字列）を生成し、各々のプロジェクタ２へ識別子を割り当てる識別子割当Ｔ−２を送信する。ただし、既に表示のあるプロジェクタ２へは、識別子割当Ｔ−２は送信されない。
【００３９】
検索応答サーバ２０は、識別子割当Ｔ−２を受信すると、識別子表示手段２０５を用いて、識別子をスクリーンに表示し（具体例は図３のスクリーン３ａ、３ｂを参照）、割当完了Ｒ−２を返信する。
【００４０】
さらに、検索応答サーバ２０は、表示された識別子、または既存の表示をもとに、プレビューイメージ生成手段２０７を用いて、プロジェクタ２がスクリーンに表示したイメージの縮小イメージであるプレビューイメージを生成する。
【００４１】
その後、ダイアログ表示部１５において、プロジェクタ２が選択されると、検索クライアント１０は、プレビューイメージ要求手段１０９を用いて、プレビューイメージを要求するイメージ要求コマンドＴ−３を送信する。
【００４２】
検索応答サーバ２０は、イメージ要求コマンドＴ−３を受信すると、生成されたプレビューイメージを、プレビューイメージ送信手段２０９を用いて、イメージデータＲ−３として返信する。
【００４３】
検索クライアント１０は、受信したイメージデータをダイアログ表示部１５に渡し、画面上に表示させる（具体例は図４のプレビューイメージ１５３を参照）。
【００４４】
また、上述の本発明の実施の形態についてのプロジェクタの選択方法のプログラムにより、コンピュータ及びプロジェクタの検索応答サーバにそのプロジェクタの選択方法を実行させることができる。
【００４５】
（発明の第２の実施の形態）
本発明の第２の実施の形態の構成について図面を参照して詳細に説明する。
【００４６】
図５を参照すると、本発明の第２の実施の形態は、第１の実施の形態と同様に、１台以上のプロジェクタ２とコンピュータ１とをネットワーク９を介して接続し、コンピュータ１からプロジェクタ２を選択するプロジェクタの選択システムである。
【００４７】
ただし、本発明の第２の実施の形態は、第１の実施の形態において、識別子割当手段１０５を削除し、識別子表示手段２０５を、ＩＰアドレス表示手段２０６に置き換えた構成をとる。
【００４８】
コンピュータ１は、プロジェクタ検索手段１０１と、プレビューイメージ要求手段１０９とを有する検索クライアント１１およびダイアログ表示部１５を含む。
【００４９】
また、プロジェクタ２は、検索応答手段２０１と、表示有無調査手段２０３と、ＩＰアドレス表示手段２０６と、プレビューイメージ生成手段２０７と、プレビューイメージ送信手段２０９とを有する検索応答サーバ２１、およびプロジェクタ情報部２５を含む。
【００５０】
これらの手段はそれぞれ概略つぎのように動作する。
【００５１】
まず、コンピュータ１では、プロジェクタ検索手段１０１は、ネットワーク９にプロジェクタ２を検索する検索コマンドを送信し、プロジェクタ２からの応答として、プロジェクタ名やＩＰアドレスやステータスなどのプロジェクタ情報を取得する。
【００５２】
プレビューイメージ要求手段１０９は、プロジェクタ２がスクリーンに表示したイメージの縮小イメージであるプレビューイメージを要求するイメージ要求コマンドをネットワーク９に送信し、プロジェクタ２からのイメージ要求コマンドに対する応答として、プレビューイメージを取得する。
【００５３】
ダイアログ表示部１５は、プロジェクタ情報やプレビューイメージを、ユーザインターフェースとして、視覚的にユーザに提示する。
【００５４】
次に、プロジェクタ２では、検索応答手段２０１は、ネットワーク９から検索コマンドを受信し、プロジェクタ名やＩＰアドレスやステータスなどのプロジェクタ情報を返信する。
【００５５】
表示有無調査手段２０３は、プロジェクタ２が既に何かしらの表示を行っているかどうかのステータスを調べる。
【００５６】
ＩＰアドレス表示手段２０６は、ネットワーク９から検索コマンドを受信すると、プロジェクタ２に設定されているＩＰアドレスを表示し、既に表示を行っているプロジェクタ２へは、ＩＰアドレスをスクリーンに表示しない。
【００５７】
プレビューイメージ生成手段２０７は、表示されたＩＰアドレス又は既存の表示をもとにプロジェクタ２がスクリーンに表示したイメージの縮小イメージであるプレビューイメージを生成する。
【００５８】
プレビューイメージ送信手段２０９は、ネットワーク９からイメージ要求コマンドを受信し、プレビューイメージ生成手段２０７によって生成されたプレビューイメージを返信する。
【００５９】
プロジェクタ情報部２５は、プロジェクタ名やＩＰアドレスやステータスなどのプロジェクタ情報を記憶装置またはメモリに保存する。
【００６０】
また、上述の本発明の実施の形態についてのプロジェクタの選択システムのプログラムにより、コンピュータ及びプロジェクタの検索応答サーバをそのプロジェクタの選択システムとして機能させることができる。
【００６１】
続いて、図５と、図６のシーケンスチャートを参照して、本発明の第２の実施の形態の動作について詳細に説明する。
【００６２】
プログラムによって検索が開始されると、検索クライアント１１は、プロジェクタ検索手段１０１を用いて、ネットワーク９にプロジェクタ２を検索する検索コマンドＴ−１を送信し、その応答を待つ。
【００６３】
検索応答サーバ２１は、検索コマンドＴ−１を受信すると、プロジェクタ情報部２５からプロジェクタ名とＩＰアドレスなどを読み出す一方で、表示有無調査手段２０３からプロジェクタ２の表示の有無であるステータスを取得し、検索応答手段２０１を用いて、それらをプロジェクタ情報Ｒ−１として返信する。
【００６４】
検索クライアント１１は、受信したプロジェクタ情報をダイアログ表示部１５に渡し、画面上に表示させる。
【００６５】
また、検索応答サーバ２１は、検索コマンドＴ−１を受信すると、ＩＰアドレス表示手段２０６を用いて、プロジェクタ２に設定されているＩＰアドレスをスクリーンに表示する。ただし、すでにプロジェクタ２に表示がある場合にはＩＰアドレスを表示しない。
【００６６】
さらに、検索応答サーバ２１は、表示されたＩＰアドレス、または既存の表示をもとに、プレビューイメージ生成手段２０７を用いて、プロジェクタ２がスクリーンに表示したイメージの縮小イメージであるプレビューイメージを生成する。
【００６７】
その後、ダイアログ表示部１５において、プロジェクタ２が選択されると、検索クライアント１１は、プレビューイメージ要求手段１０９を用いて、プレビューイメージを要求するイメージ要求コマンドＴ−３を送信する。
【００６８】
検索応答サーバ２１は、イメージ要求コマンドＴ−３を受信すると、生成されたプレビューイメージを、プレビューイメージ送信手段２０９を用いて、イメージデータＲ−３として返信する。
【００６９】
検索クライアント１１は、受信したイメージデータをダイアログ表示部１５に渡し、画面上に表示させる。
【００７０】
また、上述の本発明の実施の形態についてのプロジェクタの選択方法のプログラムにより、コンピュータ及びプロジェクタの検索応答サーバにそのプロジェクタの選択方法を実行させることができる。
【図面の簡単な説明】
【００７１】
【図１】本発明の第１の実施の形態の構成を示す図である。
【図２】本発明の第１の実施の形態の動作を説明するシーケンスチャートである。
【図３】識別子のスクリーン表示を示す図である。
【図４】ダイアログ表示部の画面上の表示を示す図である。
【図５】本発明の第２の実施の形態の構成を示す図である。
【図６】本発明の第２の実施の形態の動作を説明するシーケンスチャートである。
【図７】従来の検索システムの構成を示す図である。
【図８】従来のコンピュータの画面上の表示を示す図である。
【符号の説明】
【００７２】
１    コンピュータ
２、２ａ、２ｂ    プロジェクタ
３ａ、３ｂ    スクリーン
９    ネットワーク
１０、１１、１２    検索クライアント
１５、１６    ダイアログ表示部
２０、２１、２２    検索応答サーバ
２５、２６    プロジェクタ情報部
１０１、１０２    プロジェクタ検索手段
１０５    識別子割当手段
１０９    プレビューイメージ要求手段
１５１、１５２    プロジェクタリスト
１５３    プレビューイメージ
２０１、２０２    検索応答手段
２０３    表示有無調査手段
２０５    識別子表示手段
２０６    ＩＰアドレス表示手段
２０７    プレビューイメージ生成手段
２０９    プレビューイメージ送信手段
【図１】
2005210284.tif 000003
【図２】
2005210284.tif 000004
【図３】
2005210284.tif 000005
【図４】
2005210284.tif 000006
【図５】
2005210284.tif 000007
【図６】
2005210284.tif 000008
【図７】
2005210284.tif 000009
【図８】
2005210284.tif 000010